(57)【特許請求の範囲】
【請求項１】
複数の太陽電池パネルからの出力ラインがそれぞれ電力変換装置に電気的に接続される太陽光発電システムにおける監視システムに用いられる判定装置であって、
前記監視システムは、収集装置と、対応の前記太陽電池パネルに関する計測結果を示す計測情報を、前記出力ラインを介して前記収集装置へ送信する監視装置とを備え、
前記監視装置から定期的または不定期に前記出力ラインを介して前記収集装置へ送信される前記計測情報の、前記収集装置における受信状況を監視する監視部と、
前記監視部によって監視された前記受信状況に基づいて、前記計測情報の伝送に関する異常を判定する判定処理を行う判定部とを備え、
前記判定部は、前記受信状況において、前記監視装置からの前記計測情報が途絶している場合に、前記異常が発生したと判定し、
前記判定部は、複数種類の前記異常を判定可能であり、前記受信状況において前記計測情報が途絶している前記監視装置の数に応じて前記種類を決定する、判定装置。
【請求項２】
前記監視部は、複数の前記監視装置からの前記計測情報が途絶していると判断する際、１つ目の前記監視装置からの前記計測情報が前記収集装置に所定時間到着しない場合に前記１つ目の監視装置からの前記計測情報が途絶したと判断し、２つ目以降の前記監視装置からの前記計測情報が前記収集装置に前記所定時間より短い所定時間到着しない場合に前記２つ目以降の監視装置からの前記計測情報が途絶したと判断する、請求項１に記載の判定装置。
【請求項３】
前記判定装置は、さらに、
前記判定部によって前記異常が発生したと判定された場合に、警報を出力する警報部を備える、請求項１または請求項２に記載の判定装置。
【請求項４】
前記判定部は、前記監視装置が動作可能な電力が前記太陽電池パネルから前記出力ラインを介して供給されない状態において前記判定処理を行う、請求項１から請求項３のいずれか１項に記載の判定装置。
【発明の詳細な説明】
【技術分野】
【０００１】  本発明は、判定装置および監視装置に関する。  この出願は、２０１６年１０月７日に出願された日本出願特願２０１６−１９８７９０号を基礎とする優先権を主張し、その開示のすべてをここに取り込む。
【背景技術】
【０００２】  特開２０００−１１２５４５号公報（特許文献１）には、以下のような太陽光発電システムが開示されている。すなわち、太陽光発電システムは、複数設けられた太陽電池を同等の出力特性を有するグループ毎に分けることで構成された太陽電池群と、前記太陽電池群毎に設けられて、対応する太陽電池群の直流出力を直流状態のままその最大電力点の追従制御を行う最大電力点追従制御手段と、前記最大電力点追従制御手段の出力を交流に変換する直流／交流変換手段とを備える。
【先行技術文献】
【特許文献】
【０００３】
【特許文献１】特開２０００−１１２５４５号公報
【発明の概要】
【０００４】  （１）本開示の判定装置は、複数の太陽電池パネルからの出力ラインがそれぞれ電力変換装置に電気的に接続される太陽光発電システムにおける監視システムに用いられる判定装置であって、前記監視システムは、収集装置と、対応の前記太陽電池パネルに関する計測結果を示す計測情報を、前記出力ラインを介して前記収集装置へ送信する監視装置とを備え、前記監視装置から定期的または不定期に前記出力ラインを介して前記収集装置へ送信される情報の、前記収集装置における受信状況を監視する監視部と、前記監視部によって監視された前記受信状況に基づいて、前記情報の伝送に関する異常を判定する判定処理を行う判定部とを備える。
【０００５】  （７）本開示の監視装置は、太陽電池パネルからの出力ラインが電力変換装置に電気的に接続される太陽光発電システムに用いられる監視装置であって、前記太陽電池パネルに関する計測結果を示す計測情報を、前記出力ラインを介した電力線通信により送信する通信部を備え、前記監視装置は、前記出力ラインから供給される第１の電圧を電源電圧として用いて動作可能であり、かつ前記出力ライン以外から供給される第２の電圧を電源電圧として用いて動作可能である。
【０００６】  本開示の一態様は、このような特徴的な処理部を備える判定装置として実現され得るだけでなく、判定装置を備える監視システムとして実現され得たり、かかる特徴的な処理をステップとする方法として実現され得たり、かかるステップをコンピュータに実行させるためのプログラムとして実現され得る。また、本開示の一態様は、判定装置の一部または全部を実現する半導体集積回路として実現され得る。
【０００７】  また、本開示の一態様は、このような特徴的な処理部を備える監視装置として実現できるだけでなく、監視装置を備える監視システムとして実現され得たり、かかる特徴的な処理をステップとする方法として実現され得たり、かかるステップをコンピュータに実行させるためのプログラムとして実現され得る。また、本開示の一態様は、監視装置の一部または全部を実現する半導体集積回路として実現され得る。
【図面の簡単な説明】
【０００８】
【図１】図１は、本発明の第１の実施の形態に係る太陽光発電システムの構成を示す図である。
【図２】図２は、本発明の第１の実施の形態に係る集電ユニットの構成を示す図である。
【図３】図３は、本発明の第１の実施の形態に係る太陽電池ユニットの構成を示す図である。
【図４】図４は、本発明の第１の実施の形態に係る監視システムの構成を示す図である。
【図５】図５は、本発明の第１の実施の形態に係る監視システムにおける監視装置の構成を示す図である。
【図６】図６は、本発明の第１の実施の形態に係る監視装置の構成を詳細に示す図である。
【図７】図７は、本発明の第１の実施の形態に係る電源装置の構成を詳細に示す図である。
【図８】図８は、本発明の第１の実施の形態に係る監視システムにおける収集装置の構成を示す図である。
【図９】図９は、本発明の第１の実施の形態に係る収集装置における監視部が更新する受信ログの一例を示す図である。
【図１０】図１０は、本発明の第１の実施の形態に係る監視システムの変形例の構成を示す図である。
【図１１】図１１は、本発明の第１の実施の形態に係る監視システムの変形例における集電箱の構成を示す図である。
【図１２】図１２は、本発明の第１の実施の形態に係る監視システムの変形例における中継機の構成を詳細に示す図である。
【図１３】図１３は、本発明の第１の実施の形態に係る監視システムの変形例における収集装置および判定装置の構成を詳細に示す図である。
【図１４】図１４は、本発明の第２の実施の形態に係る電源装置の構成を詳細に示す図である。
【発明を実施するための形態】
【０００９】  近年、太陽光発電システムの発電効率を向上させるための技術が開発されている。
【００１０】  ［本開示が解決しようとする課題］  特許文献１に記載の太陽光発電システムでは、最小単位であるセルの集合体によって構成された複数の太陽電池パネルから電力変換装置へ送電用ケーブルを介して発電電力が送電される構成となっている。
【００１１】  太陽光発電システムを設置する場合、複数の太陽電池パネルを設置するための広い敷地を要するため、山中等の人の往来の少ない場所に設置されることが多い。このため、たとえば、送電用ケーブルの盗難および切断等の異常を即時に発見することは容易でない。
【００１２】  本開示は、上述の課題を解決するためになされたもので、その目的は、太陽光発電システムにおける異常を迅速に検知することが可能な判定装置および監視装置を提供することである。
【００１３】  ［本開示の効果］  本開示によれば、太陽光発電システムにおける異常を迅速に検知することができる。
【００１４】  ［本願発明の実施形態の説明］  最初に、本発明の実施形態の内容を列記して説明する。
【００１５】  （１）本発明の実施の形態に係る判定装置は、複数の太陽電池パネルからの出力ラインがそれぞれ電力変換装置に電気的に接続される太陽光発電システムにおける監視システムに用いられる判定装置であって、前記監視システムは、収集装置と、対応の前記太陽電池パネルに関する計測結果を示す計測情報を、前記出力ラインを介して前記収集装置へ送信する監視装置とを備え、前記監視装置から定期的または不定期に前記出力ラインを介して前記収集装置へ送信される情報の、前記収集装置における受信状況を監視する監視部と、前記監視部によって監視された前記受信状況に基づいて、前記情報の伝送に関する異常を判定する判定処理を行う判定部とを備える。
【００１６】  このように、監視装置から出力ラインを介して定期的または不定期に収集装置へ送信される情報の収集装置における受信状況を監視する構成により、情報の伝送に関する異常たとえば出力ラインの盗難および切断、ならびに監視装置の故障および盗難等が発生すると、監視装置から収集装置へ情報が伝送されなくなるので、判定装置は、当該異常を即時に発見することができる。したがって、太陽光発電システムにおける異常を迅速に検知することができる。
【００１７】  （２）好ましくは、前記判定部は、前記受信状況において、複数の前記監視装置からの前記情報が途絶している場合に、前記異常が発生したと判定する。
【００１８】  このような構成により、複数の監視装置からの情報が途絶している場合に特有の異常の発生を検知することができる。具体的には、たとえば、複数の監視装置が並行して故障する可能性は低いので、複数の監視装置からの情報が途絶している場合、複数の監視装置の盗難、または出力ラインの盗難もしくは切断が発生したことをより高い精度で判定することができる。
【００１９】  （３）好ましくは、前記判定部は、複数種類の前記異常を判定可能であり、前記受信状況において前記情報が途絶している前記監視装置の数に応じて前記種類を決定する。
【００２０】  このような構成により、たとえば、複数の監視装置が並行して故障する可能性は低いので、複数の監視装置からの情報が途絶している場合、複数の監視装置の盗難、または出力ラインの盗難もしくは切断が発生したことをより高い精度で判定することができる。また、たとえば、１つの監視装置からの情報が途絶している場合、当該監視装置の故障を含む異常を判定することができる。
【００２１】  （４）より好ましくは、前記監視部は、複数の前記監視装置からの前記情報が途絶していると判断する際、１つ目の前記監視装置からの前記情報が前記収集装置に所定時間到着しない場合に前記１つ目の監視装置からの前記情報が途絶したと判断し、２つ目以降の前記監視装置からの前記情報が前記収集装置に前記所定時間より短い所定時間到着しない場合に前記２つ目以降の監視装置からの前記情報が途絶したと判断する。
【００２２】  このような構成により、１つ目の監視装置からの情報が途絶したか否かを慎重に判断することができるとともに、２つ目の監視装置からの情報が途絶したか否かを迅速に判断することができるので、複数の監視装置の盗難、または出力ラインの盗難もしくは切断の発生を検知するまでの時間を短縮することができる。
【００２３】  （５）好ましくは、前記判定装置は、さらに、前記判定部によって前記異常が発生したと判定された場合に、警報を出力する警報部を備える。
【００２４】  このような構成により、出力ラインまたは監視装置を窃盗しようとする侵入者に警告を与えることができるので、侵入者に対して太陽光発電システムの敷地から追い出すような心理的圧迫を与えることができる。また、異常の発生を管理者に報知できるので、異常に対する処置を管理者に促すことができる。
【００２５】  （６）好ましくは、前記判定部は、前記監視装置が動作可能な電力が前記太陽電池パネルから前記出力ラインを介して供給されない状態において前記判定処理を行う。
【００２６】  このように、たとえば、太陽電池パネルから出力ラインを介して供給される電力に依存して動作する監視システムでは判定処理を行うことが困難な状態において判定処理を行う構成により、判定処理が行われない空白期間が発生してしまうことを防ぐことができる。
【００２７】  （７）本発明の実施の形態に係る監視装置は、太陽電池パネルからの出力ラインが電力変換装置に電気的に接続される太陽光発電システムに用いられる監視装置であって、前記太陽電池パネルに関する計測結果を示す計測情報を、前記出力ラインを介した電力線通信により送信する通信部を備え、前記監視装置は、前記出力ラインから供給される第１の電圧を電源電圧として用いて動作可能であり、かつ前記出力ライン以外から供給される第２の電圧を電源電圧として用いて動作可能である。
【００２８】  このような構成により、たとえば、出力ラインから第１の電圧が供給される日の出から日没までにおいて当該電圧を用いて計測情報を送信し、また、第１の電圧が供給されない夜間、悪天候時またはメンテナンス時において出力ライン以外から供給される第２の電圧を用いて計測情報を送信することができるので、送信先の装置において昼夜分け隔てなく計測情報を出力ライン経由で受信することができる。そして、出力ラインの盗難および切断、ならびに監視装置の故障および盗難等の異常が発生すると、監視装置から送信先の装置へ計測情報が伝送されなくなるので、送信先の装置における計測情報の受信状況に基づいて当該異常を即時に発見することができる。したがって、太陽光発電システムにおける異常を迅速に検知することができる。
【００２９】  （８）好ましくは、前記通信部は、前記出力ラインを介した電力線通信により情報を定期的または不定期に送信可能であり、前記第１の電圧を電源電圧として用いて動作しているときと比べて前記第２の電圧を電源電圧として用いて動作しているときの前記情報の送信間隔を長く設定する。
【００３０】  このような構成により、たとえば、バッテリの出力電圧を第２の電圧として用いる場合において、計測情報の送信頻度を下げることができるので、バッテリの消耗を抑制することができる。
【００３１】  （９）より好ましくは、前記監視装置は、筐体の内部に設けられ、前記第２の電圧は、前記第１の電圧が前記出力ラインから供給されない状態において、前記筐体の外部における系統または前記筐体の外部における直流電源から電力線を介して供給される。
【００３２】  このような構成により、たとえば、筐体の内部にバッテリを設ける場合と比べて、第２の電圧の供給を集中して管理することができるので、監視システムのメンテナンス負荷を軽減することができる。
【００３３】  以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００３４】  ＜第１の実施の形態＞  ［太陽光発電システム４０１の構成］  図１は、本発明の第１の実施の形態に係る太陽光発電システムの構成を示す図である。
【００３５】  図１を参照して、太陽光発電システム４０１は、４つの集電ユニット６０と、ＰＣＳ８とを備える。ＰＣＳ８は、銅バー７と、電力変換部９とを含む。
【００３６】  図１では、４つの集電ユニット６０を代表的に示しているが、さらに多数または少数の集電ユニット６０が設けられてもよい。
【００３７】  図２は、本発明の第１の実施の形態に係る集電ユニットの構成を示す図である。図２を参照して、集電ユニット６０は、４つの太陽電池ユニット７５と、銅バー７２とを含む。
【００３８】  図２では、４つの太陽電池ユニット７５を代表的に示しているが、さらに多数または少数の太陽電池ユニット７５が設けられてもよい。
【００３９】  図３は、本発明の第１の実施の形態に係る太陽電池ユニットの構成を示す図である。
【００４０】  図３を参照して、太陽電池ユニット７５は、４つの太陽電池パネル７８と、銅バー７７とを含む。太陽電池パネル７８は、複数の太陽電池パネルを含む。
【００４１】  図３では、４つの太陽電池パネル７８を代表的に示しているが、さらに多数または少数の太陽電池パネル７８が設けられてもよい。
【００４２】  太陽電池パネル７８は、たとえば複数の太陽電池パネルが直列接続されたストリングである。なお、太陽電池パネル７８は、複数の太陽電池パネルを含む構成に限らず、１つの太陽電池パネルを含む構成であってもよい。
【００４３】  太陽光発電システム４０１では、複数の太陽電池パネル７８からの出力ライン１，５，２すなわち電力線がそれぞれＰＣＳ８に電気的に接続される。
【００４４】  より詳細には、太陽電池パネル７８の出力ライン１は、太陽電池パネル７８に接続された第１端と、銅バー７７に接続された第２端とを有する。各出力ライン１は、銅バー７７を介して出力ライン５に集約される。銅バー７７は、たとえば筐体の一例である接続箱７６の内部に設けられている。
【００４５】  太陽電池パネル７８は、太陽光を受けると、受けた太陽光のエネルギーを直流電力に変換し、変換した直流電力を出力ライン１へ出力する。
【００４６】  図２および図３を参照して、出力ライン５は、対応の太陽電池ユニット７５における銅バー７７に接続された第１端と、銅バー７２に接続された第２端とを有する。各出力ライン５は、銅バー７２を介して出力ライン２に集約される。銅バー７２は、たとえば筐体の一例である集電箱７１の内部に設けられている。
【００４７】  再び図１を参照して、太陽光発電システム４０１では、上述のように複数の太陽電池パネル７８からの各出力ライン１が出力ライン５に集約され、各出力ライン５が出力ライン２に集約され、各出力ライン２が電力変換装置の一例であるＰＣＳ８に電気的に接続される。
【００４８】  より詳細には、各出力ライン２は、対応の集電ユニット６０における銅バー７２に接続された第１端と、銅バー７に接続された第２端とを有する。ＰＣＳ８において、内部ライン３は、銅バー７に接続された第１端と、電力変換部９に接続された第２端とを有する。
【００４９】  ＰＣＳ８は、たとえば、コンテナ６の内部に設けられている。ＰＣＳ８において、電力変換部９は、たとえば、各太陽電池パネル７８において発電された直流電力を出力ライン１、銅バー７７、出力ライン５、銅バー７２、出力ライン２、銅バー７および内部ライン３経由で受けると、受けた直流電力を交流電力に変換して系統へ出力する。
【００５０】  ［監視システム３０１の構成］  図４は、本発明の第１の実施の形態に係る監視システムの構成を示す図である。
【００５１】  図４を参照して、監視システム３０１は、複数の監視装置１１１と、収集装置（判定装置）１０１とを備える。
【００５２】  図４では、１つの集電ユニット６０に対応して設けられた４つの監視装置１１１を代表的に示しているが、さらに多数または少数の監視装置１１１が設けられてもよい。また、監視システム３０１は、１つの収集装置１０１を備えているが、複数の収集装置１０１を備えてもよい。
【００５３】  監視システム３０１は、太陽光発電システム４０１に用いられる。監視システム３０１では、子機である監視装置１１１におけるセンサの情報が、親機である収集装置１０１へ定期的または不定期に伝送される。
【００５４】  監視装置１１１は、たとえば集電ユニット６０に設けられている。より詳細には、監視装置１１１は、４つの太陽電池ユニット７５にそれぞれ対応して４つ設けられている。各監視装置１１１は、たとえば、対応の出力ライン１および出力ライン５に電気的に接続されている。
【００５５】  監視装置１１１は、対応の太陽電池ユニット７５における各出力ライン１の電流をセンサにより計測する。また、監視装置１１１は、対応の太陽電池ユニット７５における各出力ライン１の電圧をセンサにより計測する。
【００５６】  収集装置１０１は、たとえばＰＣＳ８の近傍に設けられている。より詳細には、収集装置１０１は、たとえば、コンテナ６の内部において、ＰＣＳ８に対応して設けられ、信号線４６を介して銅バー７に電気的に接続されている。なお、収集装置１０１は、コンテナ６の外部に設けられてもよい。
【００５７】  監視装置１１１および収集装置１０１は、出力ライン２，５を介して電力線通信（ＰＬＣ：Ｐｏｗｅｒ  Ｌｉｎｅ  Ｃｏｍｍｕｎｉｃａｔｉｏｎ）を行うことにより情報の送受信を行う。
【００５８】  より詳細には、各監視装置１１１は、対応の出力ラインの電流および電圧の計測結果を示す計測情報を送信する。収集装置１０１は、各監視装置１１１の計測結果を収集する。
【００５９】  以下、監視装置１１１から収集装置１０１への方向を上り方向と称し、収集装置１０１から監視装置１１１への方向を下り方向と称する。
【００６０】  報知装置１７１は、たとえば、警告灯であり、コンテナ６の近傍に設けられる。なお、報知装置１７１は、接続箱７６の近傍に設けられてもよいし、集電箱７１の近傍に設けられてもよい。また、報知装置１７１は、音声出力装置であってもよい。
【００６１】  ［監視装置１１１の構成］  図５は、本発明の第１の実施の形態に係る監視システムにおける監視装置の構成を示す図である。図５では、出力ライン１、出力ライン５および銅バー７７がより詳細に示されている。
【００６２】  図５を参照して、出力ライン１は、プラス側出力ライン１ｐと、マイナス側出力ライン１ｎとを含む。出力ライン５は、プラス側出力ライン５ｐと、マイナス側出力ライン５ｎとを含む。銅バー７７は、プラス側銅バー７７ｐと、マイナス側銅バー７７ｎとを含む。
【００６３】  図２に示す集電箱７１における銅バー７２は、プラス側出力ライン５ｐおよびマイナス側出力ライン５ｎにそれぞれ対応して、プラス側銅バー７２ｐおよびマイナス側銅バー７２ｎを含む。
【００６４】  プラス側出力ライン１ｐは、対応の太陽電池パネル７８に接続された第１端と、プラス側銅バー７７ｐに接続された第２端とを有する。マイナス側出力ライン１ｎは、対応の太陽電池パネル７８に接続された第１端と、マイナス側銅バー７７ｎに接続された第２端とを有する。
【００６５】  プラス側出力ライン５ｐは、プラス側銅バー７７ｐに接続された第１端と、集電箱７１におけるプラス側銅バー７２ｐに接続された第２端とを有する。マイナス側出力ライン５ｎは、マイナス側銅バー７７ｎに接続された第１端と、集電箱７１におけるマイナス側銅バー７２ｎに接続された第２端とを有する。
【００６６】  監視装置１１１は、検出部１１と、４つの電流センサ１６と、電圧センサ１７と、通信部１４とを備える。なお、監視装置１１１は、出力ライン１の数に応じて、さらに多数または少数の電流センサ１６を備えてもよい。
【００６７】  監視装置１１１は、たとえば、太陽電池パネル７８の近傍に設けられている。具体的には、監視装置１１１は、たとえば、計測対象の出力ライン１が接続された銅バー７７が設けられた接続箱７６の内部に設けられている。なお、監視装置１１１は、接続箱７６の外部に設けられてもよい。
【００６８】  監視装置１１１は、たとえば、プラス側出力ライン５ｐおよびマイナス側出力ライン５ｎとそれぞれプラス側電源線２６ｐおよびマイナス側電源線２６ｎを介して電気的に接続されている。以下、プラス側電源線２６ｐおよびマイナス側電源線２６ｎの各々を、電源線２６とも称する。
【００６９】  図６は、本発明の第１の実施の形態に係る監視装置の構成を詳細に示す図である。
【００７０】  図６を参照して、監視装置１１１は、検出部１１と、処理部１２と、カウンタ１３と、通信部１４と、記憶部１５と、４つの電流センサ１６と、電圧センサ１７と、ＤＣ／ＤＣコンバータ１９とを備える。
【００７１】  図７は、本発明の第１の実施の形態に係る電源装置の構成を詳細に示す図である。
【００７２】  図７を参照して、電源装置１２１は、バッテリ９１と、充放電制御回路９２とを備える。
【００７３】  図５〜図７を参照して、監視装置１１１は、出力ライン５から供給される太陽電池パネル７８の出力電圧を電源電圧として用いて動作可能であり、かつ出力ライン１，２，５以外から供給される電圧、この例では電源装置１２１の出力電圧を電源電圧として用いて動作可能である。
【００７４】  より詳細には、ＤＣ／ＤＣコンバータ１９は、マイナス側出力ライン５ｎおよびプラス側出力ライン５ｐからマイナス側電源線２６ｎおよびプラス側電源線２６ｐをそれぞれ介して受ける太陽電池パネル７８の直流電圧を昇圧または降圧し、直流電圧Ｖｃを生成する。ＤＣ／ＤＣコンバータ１９は、生成した直流電圧Ｖｃを検出部１１、処理部１２、カウンタ１３、通信部１４、記憶部１５および電圧センサ１７、ならびに外部電源供給ポート１８へ出力する。
【００７５】  電源装置１２１は、電源線を介して監視装置１１１における外部電源供給ポート１８に接続されている。電源装置１２１におけるバッテリ９１は、たとえば２次電池である。
【００７６】  電源装置１２１は、たとえば、夜間、悪天候時またはメンテナンス時のように、監視装置１１１が動作可能な電力が太陽電池パネル７８から出力ライン１，５を介して供給されない状態（以下、非供給状態とも称する。）において、当該電力を監視装置１１１へ供給する。
【００７７】  詳細には、電源装置１２１における充放電制御回路９２は、たとえば、直流電圧Ｖｃのレベル、およびバッテリ９１の直流電圧Ｖｂのレベルに応じて充放電を切り替える。より詳細には、充放電制御回路９２は、たとえば、直流電圧Ｖｃのレベルが所定値より小さい場合、非供給状態であると判断し、バッテリ９１から受ける直流電圧Ｖｂを電源線および外部電源供給ポート１８経由で検出部１１、処理部１２、カウンタ１３、通信部１４、記憶部１５および電圧センサ１７へ出力する。一方、充放電制御回路９２は、たとえば、直流電圧Ｖｃのレベルが所定値より大きい場合、監視装置１１１が動作可能な電力が太陽電池パネル７８から出力ライン１，５を介して供給されている状態（以下、供給状態とも称する。）であると判断し、バッテリ９１が満充電状態になるまで直流電圧Ｖｃを用いてバッテリ９１を充電する。
【００７８】  なお、バッテリ９１は、２次電池である構成に限らず、１次電池であってもよい。この場合、充放電制御回路９２は、充電制御を行わない。
【００７９】  また、本発明の第１の実施の形態に係る監視システムでは、電源装置１２１は、接続箱７６の内部に設けられる構成であるとしたが、これに限定するものではない。
【００８０】  電源装置１２１は、たとえば、接続箱７６の外部に設けられる構成であってもよい。具体的には、監視システム３０１において、たとえば１または複数の直流電源装置が接続箱７６の外部に設けられる。直流電源装置は、たとえば、非供給状態において、専用の電力線経由で監視装置１１１へ直流電圧を供給する。
【００８１】  また、本発明の第１の実施の形態に係る監視システムでは、電源装置１２１は、バッテリ９１を電源として動作する構成であるとしたが、これに限定するものではない。
【００８２】  電源装置１２１は、たとえば、接続箱７６の外部における系統からの電力を電源として動作する構成であってもよい。具体的には、電源装置１２１は、たとえば、非供給状態において、接続箱７６の外部における系統から専用の電力線経由で供給される交流電力を直流電力に変換し、変換後の直流電力を監視装置１１１へ供給する。
【００８３】  検出部１１、処理部１２、カウンタ１３、通信部１４、記憶部１５および電圧センサ１７は、供給状態すなわち直流電圧ＶｃがＤＣ／ＤＣコンバータ１９から出力される状態において、ＤＣ／ＤＣコンバータ１９から受ける直流電圧Ｖｃによって動作する。
【００８４】  一方、検出部１１、処理部１２、カウンタ１３、通信部１４、記憶部１５および電圧センサ１７は、非供給状態すなわち直流電圧ＶｃがＤＣ／ＤＣコンバータ１９から出力されない状態において、外部電源供給ポート１８経由で電源装置１２１から受ける直流電圧Ｖｂによって動作する。
【００８５】  図６を参照して、記憶部１５には、後述する計測情報パケットの宛先装置のＩＤ（以下、宛先ＩＤとも称する。）、および計測情報パケットの送信可能期間を算出するための期間情報が登録されている。この例では、宛先装置のＩＤは、収集装置１０１のＩＤである。また、送信可能期間は、たとえば、監視システム３０１における他の監視装置１１１の送信可能期間と重複しないように設けられる。
【００８６】  期間情報は、たとえば、基準時刻ｔｓ、送信可能期間の長さＬｐ、および送信可能期間が繰り返される周期Ｔｐｄを含む。送信可能期間の開始タイミングは、たとえば、ｔｓ＋Ｔｐｄ×Ｋを算出することにより求められる。ここで、Ｋはゼロ以上の整数である。
【００８７】  カウンタ１３は、たとえば、水晶振動子を用いた発振回路等により生成されるクロックパルスをカウントし、カウントした値を保持する。このカウント値は、たとえば現在時刻を示す。
【００８８】  処理部１２は、記憶部１５における期間情報に基づいて送信可能期間の開始タイミングを算出する。そして、処理部１２は、カウンタ１３におけるカウント値を監視し、算出した開始タイミングの所定時間前になると、計測命令を検出部１１へ出力する。
【００８９】  電流センサ１６は、出力ライン１の電流を計測する。より詳細には、電流センサ１６は、たとえば、ホール素子タイプの電流プローブである。電流センサ１６は、対応のマイナス側出力ライン１ｎを通して流れる電流を計測し、計測結果を示す信号を検出部１１へ出力する。なお、電流センサ１６は、プラス側出力ライン１ｐを通して流れる電流を計測してもよい。
【００９０】  電圧センサ１７は、出力ライン５の電圧を計測する。より詳細には、電圧センサ１７は、プラス側電源線２６ｐおよびマイナス側電源線２６ｎ間の電圧を計測し、計測結果を示す信号を検出部１１へ出力する。
【００９１】  検出部１１は、たとえば、処理部１２から計測命令を受けると、受けた計測命令に従って、各電流センサ１６および電圧センサ１７から受けた各計測信号に対して平均化およびフィルタリング等の信号処理を行った信号をデジタル信号に変換し、変換したデジタル信号を計測命令の応答として処理部１２へ出力する。
【００９２】  処理部１２は、対応の太陽電池パネル７８に関する計測結果を示す計測情報を作成する。より詳細には、処理部１２は、検出部１１から受ける各デジタル信号の示す計測値と、対応の電流センサ１６のＩＤ（以下、電流センサＩＤとも称する。）、電圧センサ１７のＩＤ（以下、電圧センサＩＤとも称する。）、および自己の監視装置１１１のＩＤ（以下、監視装置ＩＤとも称する。）とを含む計測情報を作成する。
【００９３】  処理部１２は、開始タイミングが到来すると、記憶部１５から宛先ＩＤを取得し、送信元ＩＤが自己の監視装置ＩＤであり、送信先ＩＤが宛先ＩＤであり、データ部分が計測情報である計測情報パケットを作成する。そして、処理部１２は、作成した計測情報パケットを通信部１４へ出力する。なお、処理部１２は、計測情報パケットにシーケンス番号を含めてもよい。
【００９４】  通信部１４は、出力ライン５，２を介した電力線通信により計測情報を送信する。より詳細には、通信部１４は、処理部１２から計測情報パケットを受けると、受けた計測情報パケットを定期的に、具体的には周期Ｔｐｄごとに収集装置１０１へ送信する。
【００９５】  図８は、本発明の第１の実施の形態に係る監視システムにおける収集装置の構成を示す図である。図８では、出力ライン２、内部ライン３および銅バー７がより詳細に示されている。
【００９６】  図８を参照して、出力ライン２は、プラス側出力ライン２ｐと、マイナス側出力ライン２ｎとを含む。内部ライン３は、プラス側内部ライン３ｐと、マイナス側内部ライン３ｎとを含む。銅バー７は、プラス側銅バー７ｐと、マイナス側銅バー７ｎとを含む。
【００９７】  プラス側出力ライン２ｐは、対応の集電ユニット６０の集電箱７１におけるプラス側銅バー７２ｐに接続された第１端と、プラス側銅バー７ｐに接続された第２端とを有する。マイナス側出力ライン２ｎは、対応の集電ユニット６０の集電箱７１におけるマイナス側銅バー７２ｎに接続された第１端と、マイナス側銅バー７ｎに接続された第２端とを有する。
【００９８】  プラス側内部ライン３ｐは、プラス側銅バー７ｐに接続された第１端と、ＰＣＳ８に接続された第２端とを有する。マイナス側内部ライン３ｎは、マイナス側銅バー７ｎに接続された第１端と、ＰＣＳ８に接続された第２端とを有する。
【００９９】  収集装置１０１は、ＰＬＣ通信部４２と、処理部４３と、ＬＡＮ（Ｌｏｃａｌ  Ａｒｅａ  Ｎｅｔｗｏｒｋ）通信部４４と、記憶部４５と、カウンタ４７と、判定装置１８１とを備える。判定装置１８１は、監視部４１と、判定部４８と、警報部４９とを備える。
【０１００】  カウンタ４７の動作は、図６に示す監視装置１１１におけるカウンタ１３と同様である。
【０１０１】  収集装置１０１は、複数の太陽電池パネル７８を備える太陽光発電システム４０１における監視システム３０１に用いられる。
【０１０２】  より詳細には、収集装置１０１におけるＰＬＣ通信部４２は、出力ライン２，５を介した電力線通信を監視装置１１１と行うことが可能である。
【０１０３】  詳細には、ＰＬＣ通信部４２は、出力ライン２，５経由で情報を送受信することが可能である。具体的には、ＰＬＣ通信部４２は、信号線４６および出力ライン２，５を介して監視装置１１１と電力線通信を行う。
【０１０４】  より詳細には、ＰＬＣ通信部４２は、信号線４６であるプラス側信号線４６ｐおよびマイナス側信号線４６ｎを介してプラス側銅バー７ｐおよびマイナス側銅バー７ｎとそれぞれ電気的に接続されている。
【０１０５】  たとえば、ＰＬＣ通信部４２は、出力ライン２，５、銅バー７，７２および信号線４６を介して各種パケットを複数の監視装置１１１から受信する。
【０１０６】  ＰＬＣ通信部４２は、複数の監視装置１１１からの計測情報を受信する。より詳細には、ＰＬＣ通信部４２は、たとえば、複数の監視装置１１１から定期的に送信される計測情報パケットを出力ライン５，２経由で受信し、受信した計測情報パケットを処理部４３へ出力する。
【０１０７】  処理部４３は、ＰＬＣ通信部４２から計測情報パケットを受けると、受けた計測情報パケットから計測情報を取得する。そして、処理部４３は、カウンタ４７から現在時刻を示すカウント値を取得し、取得したカウント値を含めた計測情報を、当該計測情報に含まれる監視装置１１１のＩＤ（以下、差出元ＩＤとも称する。）と対応付けて記憶部４５に保存する。
【０１０８】  ＬＡＮ通信部４４は、たとえばＬＡＮを介してたとえばサーバ１５１と情報の送受信を行う。
【０１０９】  処理部４３は、たとえば、ＬＡＮ通信部４４経由でサーバ１５１から計測情報要求を受信すると、記憶部４５に保存した計測情報および対応の差出元ＩＤを取得してＬＡＮ通信部４４経由でサーバ１５１へ送信する。
【０１１０】  図９は、本発明の第１の実施の形態に係る収集装置における監視部が更新する受信ログの一例を示す図である。
【０１１１】  図９を参照して、判定装置１８１における監視部４１は、監視装置１１１から定期的に出力ライン５，２を介して送信される計測情報の、収集装置１０１における受信状況を監視する。
【０１１２】  より詳細には、監視部４１は、たとえば、ＰＬＣ通信部４２の通信動作を監視し、ＰＬＣ通信部４２が計測情報パケットを受信するごとに、カウンタ４７からカウント値を取得し、取得したカウント値を示すタイムスタンプを、当該計測情報パケットに含まれる差出元ＩＤに対応付けて受信ログＬＲ１に書き込む。
【０１１３】  監視部４１は、たとえば、受信ログＬＲ１の内容に基づいて、監視装置１１１からの計測情報が途絶しているか否かを判断する。
【０１１４】  具体的には、監視部４１は、たとえば、１つ目の監視装置１１１からの計測情報が収集装置１０１に所定時間Ｔｗ１到着しない場合に当該１つ目の監視装置１１１からの計測情報が途絶したと判断する。
【０１１５】  より詳細には、監視部４１は、たとえば、カウンタ４７におけるカウント値、および各差出元ＩＤに対応するタイムスタンプの追加状況を監視する。
【０１１６】  監視部４１は、最新のタイムスタンプの示す時刻から所定時間Ｔｗ１経過するまでに新たなタイムスタンプが追加されない差出元ＩＤがある場合、当該差出元ＩＤを有する監視装置１１１からの計測情報が途絶していると判断する。
【０１１７】  また、監視部４１は、たとえば、複数の監視装置１１１からの計測情報が途絶していると判断する際、２つ目以降の監視装置１１１からの計測情報が収集装置１０１に所定時間Ｔｗ１より短い所定時間Ｔｗ２到着しない場合に当該２つ目以降の監視装置１１１からの計測情報が途絶したと判断する。
【０１１８】  より詳細には、監視部４１は、１つ目の監視装置１１１からの計測情報が途絶したと判断した状態において、最新のタイムスタンプの示す時刻から所定時間Ｔｗ２経過するまでに新たなタイムスタンプが追加されない他の差出元ＩＤがある場合、当該他の差出元ＩＤを有する監視装置１１１すなわち２つ目の監視装置１１１からの計測情報が途絶していると判断する。
【０１１９】  監視部４１は、監視装置１１１からの計測情報が途絶していると判断するごとに、判断結果を判定部４８へ出力する。
【０１２０】  再び図８を参照して、判定部４８は、監視部４１によって監視された受信状況に基づいて、太陽光発電システム４０１における異常、詳細には情報の伝送に関する異常を判定する判定処理を行う。
【０１２１】  より詳細には、判定部４８は、たとえば、供給状態および非供給状態の両方において、監視部４１から受ける判断結果の内容に基づいて、監視装置１１１の異常、および出力ライン２，５の接続異常を判定する。具体的には、判定部４８は、たとえば、監視装置１１１の故障および盗難、ならびに出力ライン２，５の切断および盗難等の異常を判定する。
【０１２２】  判定部４８は、たとえば、複数種類の、情報の伝送に関する異常を判定可能である。詳細には、判定部４８は、たとえば、上記受信状況において計測情報が途絶している監視装置１１１の数に応じて太陽光発電システム４０１における異常の種類を決定する。
【０１２３】  具体的には、判定部４８は、たとえば、受信状況において、１つの監視装置１１１からの計測情報が途絶している場合、監視装置１１１の故障もしくは盗難、または出力ライン５の切断もしくは盗難が発生したと判定する。
【０１２４】  一方、判定部４８は、たとえば、受信状況において、複数の監視装置１１１からの計測情報が並行して途絶している場合、複数の監視装置１１１が並行して故障する可能性が低いので、複数の監視装置１１１の盗難、複数の出力ライン５の切断もしくは盗難、または出力ライン２の切断もしくは盗難が発生したと判定する。
【０１２５】  なお、判定部４８の判定対象は、監視装置１１１の故障および盗難、ならびに出力ライン２，５の切断および盗難に限らず、接続箱７６および集電箱７１の盗難であってもよい。
【０１２６】  判定部４８は、監視装置１１１の故障もしくは盗難、または出力ライン２，５の切断もしくは盗難が発生したと判定すると、判定結果を示す判定情報を警報部４９へ出力する。
【０１２７】  警報部４９は、たとえば、判定部４８によって太陽光発電システム４０１における異常が発生したと判定された場合に、警報を出力する。
【０１２８】  より詳細には、警報部４９は、判定部４８から判定情報を受けると、受けた判定情報をＬＡＮ通信部４４経由でユーザの保持する無線端末装置へ送信する。これにより、ユーザは、太陽光発電システム４０１において異常が発生したことを認識することができる。
【０１２９】  また、警報部４９は、判定情報に従って、警報命令を報知装置１７１へ送信する。
【０１３０】  再び図４を参照して、報知装置１７１は、収集装置１０１から警報命令を受信すると、警告灯を点灯させる。
【０１３１】  ［監視システム３０１の変形例１］  図１０は、本発明の第１の実施の形態に係る監視システムの変形例の構成を示す図である。
【０１３２】  図１０を参照して、監視システム３０１の変形例である監視システム３０２は、図４に示す監視システム３０１と比べて、さらに、中継機１３１を備える。
【０１３３】  監視システム３０２における収集装置１０１および監視装置１１１の動作は、図４に示す監視システム３０１における収集装置１０１および監視装置１１１とそれぞれ同様である。
【０１３４】  再び図６を参照して、記憶部１５には、計測情報パケットの中継機１３１のＩＤ（以下、中継ＩＤとも称する。）、宛先ＩＤおよび期間情報が登録されている。
【０１３５】  処理部１２は、記憶部１５から中継ＩＤおよび宛先ＩＤを取得し、送信元ＩＤが自己の監視装置ＩＤであり、送信先ＩＤが宛先ＩＤであり、中継先が中継ＩＤであり、データ部分が計測情報である計測情報パケットを作成する。そして、処理部１２は、作成した計測情報パケットを通信部１４へ出力する。
【０１３６】  通信部１４は、処理部１２から計測情報パケットを受けると、受けた計測情報パケットを周期Ｔｐｄごとに中継機１３１へ送信する。
【０１３７】  ［中継機１３１の構成］  図１１は、本発明の第１の実施の形態に係る監視システムの変形例における集電箱の構成を示す図である。図１１では、出力ライン２、出力ライン５および銅バー７２がより詳細に示されている。
【０１３８】  図１１を参照して、集電箱７１には、銅バー７２と、電源装置１２２と、中継機１３１とが設けられる。電源装置１２２の動作は、図７に示す電源装置１２１と同様である。
【０１３９】  図１２は、本発明の第１の実施の形態に係る監視システムの変形例における中継機の構成を詳細に示す図である。
【０１４０】  図１２を参照して、中継機１３１は、処理部８２と、通信部８４と、ＤＣ／ＤＣコンバータ８９とを備える。
【０１４１】  通信部８４およびＤＣ／ＤＣコンバータ８９の動作は、図６に示す監視装置１１１における通信部１４およびＤＣ／ＤＣコンバータ１９とそれぞれ同様である。
【０１４２】  中継機１３１は、出力ライン５から供給される太陽電池パネル７８の出力電圧を電源電圧として用いて動作可能であり、かつ出力ライン１，２，５以外から供給される電圧、この例では電源装置１２２の出力電圧を電源電圧として用いて動作可能である。
【０１４３】  より詳細には、ＤＣ／ＤＣコンバータ８９は、マイナス側銅バー７２ｎおよびプラス側銅バー７２ｐからマイナス側電源線３６ｎおよびプラス側電源線３６ｐをそれぞれ介して受ける太陽電池パネル７８の直流電圧を昇圧または降圧し、直流電圧Ｖｃを生成する。ＤＣ／ＤＣコンバータ８９は、生成した直流電圧Ｖｃを処理部８２および通信部８４ならびに外部電源供給ポート８８へ出力する。
【０１４４】  電源装置１２２は、たとえば、電源線を介して外部電源供給ポート８８に接続される。
【０１４５】  処理部８２および通信部８４は、直流電圧ＶｃがＤＣ／ＤＣコンバータ８９から出力される場合、ＤＣ／ＤＣコンバータ８９から受ける直流電圧Ｖｃによって動作する。
【０１４６】  一方、処理部８２および通信部８４は、直流電圧ＶｃがＤＣ／ＤＣコンバータ８９から出力されない場合、外部電源供給ポート８８経由で電源装置１２２から受ける直流電圧Ｖｂによって動作する。
【０１４７】  なお、本発明の第１の実施の形態に係る監視システムでは、電源装置１２２は、集電箱７１の内部に設けられる構成であるとしたが、これに限定するものではない。
【０１４８】  電源装置１２２は、たとえば、集電箱７１の外部に設けられる構成であってもよい。具体的には、監視システム３０１において、たとえば１または複数の直流電源装置が集電箱７１の外部に設けられる。直流電源装置は、たとえば、中継機１３１が動作可能な電力が太陽電池パネル７８から出力ライン１，５を介して供給されない状態すなわち非供給状態において、専用の電力線経由で中継機１３１へ直流電圧を供給する。
【０１４９】  また、本発明の第１の実施の形態に係る監視システムでは、電源装置１２２は、バッテリ９１を電源として動作する構成であるとしたが、これに限定するものではない。
【０１５０】  電源装置１２２は、たとえば、集電箱７１の外部における系統からの電力を電源として動作する構成であってもよい。具体的には、電源装置１２２は、たとえば、非供給状態において、集電箱７１の外部における系統から専用の電力線経由で供給される交流電力を直流電力に変換し、変換後の直流電力を中継機１３１へ供給する。
【０１５１】  通信部８４は、出力ライン５，２経由で情報を送受信することが可能である。具体的には、通信部８４は、電源線３６および出力ライン５，２を介して収集装置１０１および監視装置１１１と電力線通信を行う。
【０１５２】  処理部８２は、監視装置１１１から出力ライン５、電源線３６および通信部８４経由で計測パケットを受信すると、受信した計測パケットを通信部８４、電源線３６および出力ライン２経由で収集装置１０１へ送信する中継処理を行う。
【０１５３】  ［監視システム３０１の変形例２］  図１３は、本発明の第１の実施の形態に係る監視システムの変形例における収集装置および判定装置の構成を詳細に示す図である。
【０１５４】  図１３を参照して、監視システム３０１の変形例における収集装置１０１は、ＰＬＣ通信部４２と、処理部４３と、ＬＡＮ通信部４４と、記憶部４５と、カウンタ４７とを備える。
【０１５５】  収集装置１０１におけるＰＬＣ通信部４２、処理部４３、ＬＡＮ通信部４４、記憶部４５およびカウンタ４７の動作は、図８に示す収集装置１０１におけるＰＬＣ通信部４２、処理部４３、ＬＡＮ通信部４４、記憶部４５およびカウンタ４７とそれぞれ同様である。
【０１５６】  監視システム３０１の変形例における判定装置１８１は、図８に示す判定装置１８１と比べて、さらに、ＬＡＮ通信部５０を備える。
【０１５７】  判定装置１８１における監視部４１、判定部４８および警報部４９の動作は、図８に示す判定装置１８１における監視部４１、判定部４８および警報部４９とそれぞれ同様である。
【０１５８】  判定装置１８１におけるＬＡＮ通信部５０は、たとえばＬＡＮを介して収集装置１０１および他の装置と情報の送受信を行う。
【０１５９】  収集装置１０１における処理部４３は、たとえば、ＰＬＣ通信部４２経由で監視装置１１１から計測情報パケットを受信するごとに、カウンタ４７からカウント値を取得し、取得したカウント値を示すタイムスタンプ、および当該計測情報パケットに含まれる差出元ＩＤを含む受信ログ情報をＬＡＮ通信部４４経由で判定装置１８１へ送信する。
【０１６０】  また、処理部４３は、たとえば、カウンタ４７のカウント値を示すカウント情報をＬＡＮ通信部４４経由で判定装置１８１へ定期的に送信する。
【０１６１】  判定装置１８１における監視部４１は、ＬＡＮ通信部５０経由で収集装置１０１から受信ログ情報を受信すると、受信した受信ログ情報に含まれるタイムスタンプを、受信ログ情報に含まれる差出元ＩＤに対応付けて受信ログＬＲ１に書き込む。
【０１６２】  監視部４１は、たとえば、収集装置１０１から受信するカウント情報、および受信ログＬＲ１の内容に基づいて、監視装置１１１からの計測情報が途絶しているか否かを判断する。
【０１６３】  なお、本発明の第１の実施の形態に係る監視装置は、計測情報を定期的に作成して収集装置１０１へ送信する構成であるとしたが、これに限定するものではない。監視装置１１１は、計測情報を不定期に作成して収集装置１０１へ送信する構成であってもよい。
【０１６４】  また、本発明の第１の実施の形態に係る監視システムでは、複数の監視装置１１１が設けられる構成であるとしたが、これに限定するものではない。監視システム３０１では、１つの監視装置１１１が設けられる構成であってもよい。
【０１６５】  また、本発明の第１の実施の形態に係る判定装置では、判定部４８は、供給状態および非供給状態の両方において判定処理を行う構成であるとしたが、これに限定するものではない。判定部４８は、供給状態および非供給状態のいずれか一方において判定処理を行う構成であってもよい。
【０１６６】  ところで、特許文献１に記載の太陽光発電システムでは、最小単位であるセルの集合体によって構成された複数の太陽電池パネルから電力変換装置へ送電用ケーブルを介して発電電力が送電される構成となっている。
【０１６７】  太陽光発電システムを設置する場合、複数の太陽電池パネルを設置するための広い敷地を要するため、山中等の人の往来の少ない場所に設置されることが多い。このため、たとえば、送電用ケーブルの盗難および切断等の異常を即時に発見することは容易でない。
【０１６８】  これに対して、本発明の第１の実施の形態に係る収集装置は、複数の太陽電池パネル７８からの出力ライン１，５，２がそれぞれＰＣＳ８に電気的に接続される太陽光発電システム４０１における監視システム３０１に用いられる。監視システム３０１では、監視装置１１１は、対応の太陽電池パネル７８に関する計測結果を示す計測情報を、出力ライン５，２を介して収集装置１０１へ送信する。監視部４１は、監視装置１１１から定期的または不定期に出力ライン５，２を介して送信される情報の、収集装置１０１における受信状況を監視する。そして、判定部４８は、監視部４１によって監視された受信状況に基づいて、情報の伝送に関する異常を判定する判定処理を行う。
【０１６９】  このように、監視装置１１１から出力ライン５，２を介して定期的または不定期に収集装置１０１へ送信される情報の収集装置１０１における受信状況を監視する構成により、情報の伝送に関する異常たとえば出力ライン２，５の盗難および切断、ならびに監視装置１１１の故障および盗難等が発生すると、監視装置１１１から収集装置１０１へ情報が伝送されなくなるので、収集装置１０１は、当該異常を即時に発見することができる。したがって、太陽光発電システムにおける異常を迅速に検知することができる。
【０１７０】  また、本発明の第１の実施の形態に係る収集装置では、判定部４８は、上記受信状況において、複数の監視装置１１１からの情報が途絶している場合に、上記異常が発生したと判定する。
【０１７１】  このような構成により、複数の監視装置１１１からの情報が途絶している場合に特有の異常の発生を検知することができる。具体的には、たとえば、複数の監視装置１１１が並行して故障する可能性は低いので、複数の監視装置１１１からの情報が途絶している場合、複数の監視装置１１１の盗難、または出力ライン２，５の盗難もしくは切断が発生したことをより高い精度で判定することができる。
【０１７２】  また、本発明の第１の実施の形態に係る収集装置では、判定部４８は、複数種類の上記異常を判定可能であり、上記受信状況において情報が途絶している監視装置１１１の数に応じて上記異常の種類を決定する。
【０１７３】  このような構成により、たとえば、複数の監視装置１１１が並行して故障する可能性は低いので、複数の監視装置１１１からの情報が途絶している場合、複数の監視装置１１１の盗難、または出力ライン２，５の盗難もしくは切断が発生したことをより高い精度で判定することができる。また、たとえば、１つの監視装置１１１からの情報が途絶している場合、当該監視装置１１１の故障を含む異常を判定することができる。
【０１７４】  また、本発明の第１の実施の形態に係る収集装置では、監視部４１は、複数の監視装置１１１からの情報が途絶していると判断する際、１つ目の監視装置１１１からの情報が収集装置１０１に所定時間Ｔｗ１到着しない場合に当該１つ目の監視装置１１１からの情報が途絶したと判断する。そして、監視部４１は、２つ目以降の監視装置１１１からの情報が収集装置１０１に所定時間Ｔｗ１より短い所定時間Ｔｗ２到着しない場合に当該２つ目以降の監視装置１１１からの情報が途絶したと判断する。
【０１７５】  このような構成により、１つ目の監視装置１１１からの情報が途絶したか否かを慎重に判断することができるとともに、２つ目の監視装置１１１からの情報が途絶したか否かを迅速に判断することができるので、複数の監視装置１１１の盗難、または出力ライン２，５の盗難もしくは切断の発生を検知するまでの時間を短縮することができる。
【０１７６】  また、本発明の第１の実施の形態に係る収集装置では、警報部４９は、判定部４８によって上記異常が発生したと判定された場合に、警報を出力する。
【０１７７】  このような構成により、出力ライン２，５または監視装置１１１を窃盗しようとする侵入者に警告を与えることができるので、侵入者に対して太陽光発電システム４０１の敷地から追い出すような心理的圧迫を与えることができる。また、異常の発生を管理者に報知できるので、異常に対する処置を管理者に促すことができる。
【０１７８】  また、本発明の第１の実施の形態に係る収集装置では、判定部４８は、監視装置１１１が動作可能な電力が太陽電池パネル７８から出力ライン１，５を介して供給されない状態において判定処理を行う。
【０１７９】  このように、たとえば、太陽電池パネル７８から出力ライン１，５を介して供給される電力に依存して動作する監視システムでは判定処理を行うことが困難な状態において判定処理を行う構成により、判定処理が行われない空白期間が発生してしまうことを防ぐことができる。
【０１８０】  また、本発明の第１の実施の形態に係る監視装置は、太陽電池パネル７８からの出力ライン１，５，２がＰＣＳ８に電気的に接続される太陽光発電システム４０１に用いられる。通信部１４は、太陽電池パネル７８に関する計測結果を示す計測情報を、出力ライン５，２を介した電力線通信により送信する。そして、監視装置１１１は、出力ライン５から供給される第１の電圧を電源電圧として用いて動作可能であり、かつ出力ライン１，２，５以外から供給される第２の電圧を電源電圧として用いて動作可能である。
【０１８１】  このような構成により、たとえば、出力ライン５から第１の電圧が供給される日の出から日没までにおいて当該電圧を用いて計測情報を送信し、また、第１の電圧が供給されない夜間、悪天候時またはメンテナンス時において出力ライン１，２，５以外から供給される第２の電圧を用いて計測情報を送信することができるので、収集装置１０１において昼夜分け隔てなく計測情報を出力ライン５，２経由で受信することができる。そして、出力ライン２，５の盗難および切断、ならびに監視装置１１１の故障および盗難等の異常が発生すると、監視装置１１１から収集装置１０１へ計測情報が伝送されなくなるので、収集装置１０１は、当該異常を即時に発見することができる。したがって、太陽光発電システムにおける異常を迅速に検知することができる。
【０１８２】  また、本発明の第１の実施の形態に係る監視装置は、筐体の内部に設けられる。第２の電圧は、第１の電圧が出力ライン５から供給されない状態において、筐体の外部における系統または筐体の外部における直流電源から電力線を介して供給される。
【０１８３】  このような構成により、たとえば、筐体の内部にバッテリを設ける場合と比べて、第２の電圧の供給を集中して管理することができるので、監視システムのメンテナンス負荷を軽減することができる。
【０１８４】  次に、本発明の他の実施の形態について図面を用いて説明する。なお、図中同一または相当部分には同一符号を付してその説明は繰り返さない。
【０１８５】  ＜第２の実施の形態＞  本実施の形態は、第１の実施の形態に係る監視システムと比べて情報の送信間隔が可変である監視システムに関する。以下で説明する内容以外は第１の実施の形態に係る監視システムと同様である。
【０１８６】  図１４は、本発明の第２の実施の形態に係る電源装置の構成を詳細に示す図である。
【０１８７】  図１４を参照して、電源装置１２３は、バッテリ９１と、充放電制御回路９３とを備える。
【０１８８】  バッテリ９１および充放電制御回路９３の動作は、図７に示す電源装置１２１におけるバッテリ９１および充放電制御回路９２とそれぞれ同様である。
【０１８９】  充放電制御回路９３は、たとえば、バッテリ９１から受ける直流電圧Ｖｂを監視装置１１１へ出力する場合、活性化した放電信号を監視装置１１１へ送信する。一方、充放電制御回路９３は、たとえば、バッテリ９１から受ける直流電圧Ｖｂを監視装置１１１へ出力しない場合、非活性化した放電信号を監視装置１１１へ送信する。
【０１９０】  再び図６を参照して、記憶部１５には、たとえば、基準時刻ｔｓ、送信可能期間の長さＬｐ、非放電時用の周期Ｔｐｄおよび放電時用の周期Ｔｐｎを含む期間情報が登録されている。ここで、周期Ｔｐｎは、周期Ｔｐｄと比べて大きい。
【０１９１】  処理部１２は、たとえば、出力ライン５から供給される太陽電池パネル７８の出力電圧を電源電圧として用いて動作しているときと比べて、電源装置１２３の出力電圧を電源電圧として用いて動作しているときの情報の送信間隔を長く設定する。
【０１９２】  たとえば、処理部１２は、放電時送信モードと非放電時送信モードとを切り替える。より詳細には、処理部１２は、たとえば、電源装置１２３から受信する放電信号が活性化されている場合、放電時送信モードに設定し、また、放電信号が非活性化されている場合、非放電時送信モードに設定する。
【０１９３】  処理部１２は、非放電時送信モードにおいて、期間情報に基づいて、周期Ｔｐｄごとの送信可能期間を設定し、設定した送信可能期間の開始タイミングが到来すると、以下の処理を行う。
【０１９４】  すなわち、処理部１２は、記憶部１５から宛先ＩＤを取得し、送信元ＩＤが自己の監視装置ＩＤであり、送信先ＩＤが宛先ＩＤであり、データ部分が計測情報である計測情報パケットを作成し、作成した計測情報パケットを通信部１４へ出力する。
【０１９５】  通信部１４は、処理部１２から計測情報パケットを受けると、受けた計測情報パケットを周期Ｔｐｄごとに収集装置１０１へ送信する。
【０１９６】  また、処理部１２は、放電時送信モードにおいて、期間情報に基づいて、周期Ｔｐｎごとの送信可能期間を設定し、設定した送信可能期間の開始タイミングが到来すると、以下の処理を行う。
【０１９７】  すなわち、処理部１２は、送信元ＩＤが自己の監視装置ＩＤであり、送信先ＩＤが宛先ＩＤであり、データ部分がヌルである接続確認用パケットを作成し、作成した接続確認用パケットを通信部１４へ出力する。
【０１９８】  ここで、接続確認用パケットのデータ量は、計測情報パケットのデータ量と比べて小さい。これにより、監視システム３０１における通信負荷を軽減することができる。
【０１９９】  通信部１４は、処理部１２から接続確認用パケットを受けると、受けた接続確認用パケットを周期Ｔｐｎごとに収集装置１０１へ送信する。
【０２００】  なお、処理部１２は、放電時送信モードにおいて、接続確認用パケットを作成して通信部１４経由で送信する構成であるとしたが、これに限定するものではない。処理部１２は、放電時送信モードにおいて、計測情報パケットを作成して通信部１４経由で送信する構成であってもよい。しかしながら、データ量の小さい接続確認用パケットを用いる構成は、監視システム３０１における通信負荷を軽減することができるので、好ましい。
【０２０１】  また、処理部１２は、放電信号の活性状態に基づいて放電時送信モードおよび非放電時送信モードを設定する構成であるとしたが、これに限定するものではない。処理部１２は、時間に基づいて放電時送信モードおよび非放電時送信モードを設定する構成であってもよい。
【０２０２】  より詳細には、処理部１２は、太陽電池パネル７８からの出力電圧により自己の監視装置１１１が動作可能な時間帯（以下、動作可能時間帯とも称する。）、および当該出力電圧では自己の監視装置１１１が動作することが困難な時間帯（以下、動作困難時間帯とも称する。）を設定する。
【０２０３】  処理部１２は、たとえば、カウンタ１３の示す現在時刻が動作困難時間帯に含まれる場合、放電時送信モードに設定する。また、処理部１２は、たとえば、カウンタ１３の示す現在時刻が動作可能時間帯に含まれる場合、非放電時送信モードに設定する。
【０２０４】  再び図８を参照して、監視部４１は、監視装置１１１から定期的に出力ライン５，２を介して送信される計測情報パケットまたは接続確認用パケットの、収集装置１０１における受信状況を監視する。
【０２０５】  以上のように、本発明の第２の実施の形態に係る監視装置では、通信部１４は、出力ライン５，２を介した電力線通信により情報を定期的または不定期に送信可能である。そして、第１の電圧を電源電圧として用いて動作しているときと比べて第２の電圧を電源電圧として用いて動作しているときの情報の送信間隔を長く設定する。
【０２０６】  このような構成により、たとえば、バッテリ９１の出力電圧を第２の電圧として用いる場合において、計測情報の送信頻度を下げることができるので、バッテリ９１の消耗を抑制することができる。
【０２０７】  その他の構成および動作は第１の実施の形態に係る監視システムと同様であるため、ここでは詳細な説明を繰り返さない。
【０２０８】  なお、本発明の第１の実施の形態および第２の実施の形態に係る各装置の構成要素および動作のうち、一部または全部を適宜組み合わせることも可能である。
【０２０９】  上記実施の形態は、すべての点で例示であって制限的なものではないと考えられるべきである。本発明の範囲は、上記説明ではなく請求の範囲によって示され、請求の範囲と均等の意味および範囲内でのすべての変更が含まれることが意図される。
【０２１０】  以上の説明は、以下に付記する特徴を含む。
【０２１１】  ［付記１］  複数の太陽電池パネルからの出力ラインがそれぞれ電力変換装置に電気的に接続される太陽光発電システムにおける監視システムに用いられる判定装置であって、  前記監視システムは、収集装置と、対応の前記太陽電池パネルに関する計測結果を示す計測情報を、前記出力ラインを介して前記収集装置へ送信する監視装置とを備え、  前記監視装置から定期的または不定期に前記出力ラインを介して前記収集装置へ送信される情報の、前記収集装置における受信状況を監視する監視部と、  前記監視部によって監視された前記受信状況に基づいて、前記情報の伝送に関する異常を判定する判定処理を行う判定部とを備え、  前記監視部は、前記収集装置によって前記情報が受信された受信時刻を示す受信ログを作成し、作成した前記受信ログに基づいて、前記情報が途絶しているか否かを判断し、  前記判定部は、前記監視部において前記情報が途絶していると判断された場合、前記監視装置の故障もしくは盗難、または前記出力ラインの切断もしくは盗難が発生したと判定する、判定装置。
【０２１２】  ［付記２］  太陽電池パネルからの出力ラインが電力変換装置に電気的に接続される太陽光発電システムに用いられる監視装置であって、  前記太陽電池パネルに関する計測結果を示す計測情報を、前記出力ラインを介した電力線通信により送信する通信部を備え、  前記監視装置は、前記出力ラインから供給される第１の電圧を電源電圧として用いて動作可能であり、かつ前記出力ライン以外から供給される第２の電圧を電源電圧として用いて動作可能であり、  前記第１の電圧の電圧源は、前記太陽電池パネルの出力であり、  前記第２の電圧の電圧源は、バッテリまたは系統からの電力に基づく外部電源である、監視装置。
【符号の説明】
【０２１３】  １，２，５  出力ライン  ３  内部ライン  ６  コンテナ  ７  銅バー  ８  ＰＣＳ  ９  電力変換部  １１  検出部  １２  処理部  １３  カウンタ  １４  通信部  １５  記憶部  １６  電流センサ  １７  電圧センサ  １８  外部電源供給ポート  １９  ＤＣ／ＤＣコンバータ  ２６  電源線  ３６  電源線  ４１  監視部  ４２  ＰＬＣ通信部  ４３  処理部  ４４  ＬＡＮ通信部  ４５  記憶部  ４６  信号線  ４７  カウンタ  ４８  判定部  ４９  警報部  ６０  集電ユニット  ７１  集電箱  ７２  銅バー  ７５  太陽電池ユニット  ７６  接続箱  ７７  銅バー  ７８  太陽電池パネル  ８２  処理部  ８４  通信部  ８８  外部電源供給ポート  ８９  ＤＣ／ＤＣコンバータ  ９１  バッテリ  ９２，９３  充放電制御回路  １０１  収集装置（判定装置）  １１１  監視装置  １２１，１２２，１２３  電源装置  １３１  中継機  １５１  サーバ  １７１  報知装置  ３０１，３０２  監視システム  ４０１  太陽光発電システム
【図１】
0006642730.tif 000002
【図２】
0006642730.tif 000003
【図３】
0006642730.tif 000004
【図４】
0006642730.tif 000005
【図５】
0006642730.tif 000006
【図６】
0006642730.tif 000007
【図７】
0006642730.tif 000008
【図８】
0006642730.tif 000009
【図９】
0006642730.tif 000010
【図１０】
0006642730.tif 000011
【図１１】
0006642730.tif 000012
【図１２】
0006642730.tif 000013
【図１３】
0006642730.tif 000014
【図１４】
0006642730.tif 000015